(57)【特許請求の範囲】
【請求項１】
本体ケース内に配置されて液体を収容する内容器と、
前記本体ケースに配設されたヒンジ部によって前記内容器に対して開閉自在に支持される蓋部と、を備えた電気ポットであって、
前記蓋部は、貫穿された蒸気排出通路の中途部と前記蓋部の外部とを連通して、前記蒸気排出通路内の結露を排出するための結露排出口と、前記蓋部の後端部に横架されたヒンジ軸と、を備え、
前記ヒンジ部は、前記ヒンジ軸の両端部で前記蓋部を着脱可能に嵌着する複数の嵌着部を備え、
前記蓋部が前記内容器に対して閉塞状態の場合に、前記結露排出口を正面視で前記複数の嵌着部の外側端部より内側に配置し、且つ前記結露排出口と前記複数の嵌着部とを正面視で重複させずに前記ヒンジ軸の軸方向位置をずらして配置する、
ことを特徴とする電気ポット。
【請求項２】
本体ケース内に配置されて液体を収容する内容器と、
前記本体ケースに配設されたヒンジ部によって前記内容器に対して開閉自在に支持される蓋部と、を備えた電気ポットであって、
前記蓋部は、貫穿された蒸気排出通路の中途部と前記蓋部の外部とを連通して、前記蒸気排出通路内の結露を排出するための結露排出口と、前記蓋部の後端部に横架されたヒンジ軸と、を備え、
前記ヒンジ部は、前記ヒンジ軸の両端部で前記蓋部を着脱可能に嵌着する複数の嵌着部を備え、
前記本体ケースは、前記結露排出口を通じて前記蒸気排出通路内に挿入される蒸気検出手段と、を備え、
前記蓋部が前記内容器に対して閉塞状態の場合に、前記結露排出口と前記蒸気検出手段とを正面視で前記複数の嵌着部の外側端部より内側に相互に重複させて配置し、前記結露排出口及び前記蒸気検出手段と前記複数の嵌着部とを正面視で重複させずに前記ヒンジ軸の軸方向位置をずらして配置する、
ことを特徴とする電気ポット。
【発明の詳細な説明】
【技術分野】
【０００１】
本発明は、電気ポットの技術に関する。
【背景技術】
【０００２】
従来、本体ケース内に配置されて液体を収容する内容器と、前記本体ケースに配設されたヒンジ部によって前記内容器に対して開閉自在に支持される蓋部と、を備えた電気ポットにおいて、ヒンジ部近傍に蓋部に貫穿された蒸気通路途中の開口部（結露排出口）を配置した技術は、公知となっている。例えば、特許文献１に記載の如くである。また、ヒンジ部に、蓋部を着脱可能に嵌着するロック部材を備えた技術は、公知となっている。例えば、特許文献２に記載の如くである。
【０００３】
特許文献１に記載の技術では、結露排出口は、ヒンジ部の前下方に配置される。これによって、結露排出口は、蓋部を内容器に対して開放した場合に、蓋部の内部に溜まった結露を下方へ排出することができる。
【０００４】
特許文献２に記載の技術では、ヒンジ部に備えられたロック部材は、下方に配置されたバネによって、上下方向に往復移動可能に構成される。これによって、ロック部材は、蓋部を着脱可能に嵌着することができる。
【先行技術文献】
【特許文献】
【０００５】
【特許文献１】特開２０１１−５５９７３号公報
【特許文献２】特開２００２−２１９０５９号公報
【発明の概要】
【発明が解決しようとする課題】
【０００６】
しかしながら、特許文献１に記載の技術を、特許文献２に記載の技術に適用すると、蓋部を内容器に対して開放した場合に、結露排出口の下方にヒンジ部のロック部材が配置されることとなる。したがって、結露排出口から排出された結露は、ロック部材の嵌着部上に垂れ落ちることとなり好ましくなかった。また、例えば、蓋部を内容器に対して閉塞した場合に結露排出口に本体ケースから蒸気センサが突設される構成とすると、蒸気センサを上下方向に往復移動可能なロック部材と干渉しない位置、すなわちロック部材から離間した位置に配置する必要があった。その結果、結露排出口がロック部材から離間した位置に配置され、ロック部材近傍に大きな配置スペースが必要となるので、電気ポットの小型化を図ることが困難であるという問題点があった。
【０００７】
本発明は、上記のような問題点に鑑みてなされたものであり、その解決しようとする課題は、蓋部の結露排出口から排出された結露がロック部材の嵌着部上に垂れ落ちず、且つ、例えば蒸気センサが配置された場合であっても結露排出口がロック部材に近接した位置に配置され、ロック部材近傍の配置スペースをコンパクトにして、電気ポットの小型化を図ることできる電気ポットを提供することである。
【課題を解決するための手段】
【０００８】
本発明の解決しようとする課題は以上の如くであり、次にこの課題を解決するための手段を説明する。
【０００９】
即ち、請求項１においては、本体ケース内に配置されて液体を収容する内容器と、前記本体ケースに配設されたヒンジ部によって前記内容器に対して開閉自在に支持される蓋部と、を備えた電気ポットであって、前記蓋部は、貫穿された蒸気排出通路の中途部と前記蓋部の外部とを連通して、前記蒸気排出通路内の結露を排出するための結露排出口と、前記蓋部の後端部に横架されたヒンジ軸と、を備え、前記ヒンジ部は、前記ヒンジ軸の両端部で前記蓋部を着脱可能に嵌着する複数の嵌着部を備え、前記蓋部が前記内容器に対して閉塞状態の場合に、前記結露排出口を正面視で前記複数の嵌着部の外側端部より内側に配置し、且つ前記結露排出口と前記複数の嵌着部とを正面視で重複させずに前記ヒンジ軸の軸方向位置をずらして配置するものである。
【００１０】
請求項２においては、本体ケース内に配置されて液体を収容する内容器と、前記本体ケースに配設されたヒンジ部によって前記内容器に対して開閉自在に支持される蓋部と、を備えた電気ポットであって、前記蓋部は、貫穿された蒸気排出通路の中途部と前記蓋部の外部とを連通して、前記蒸気排出通路内の結露を排出するための結露排出口と、前記蓋部の後端部に横架されたヒンジ軸と、を備え、前記ヒンジ部は、前記ヒンジ軸の両端部で前記蓋部を着脱可能に嵌着する複数の嵌着部を備え、前記本体ケースは、前記結露排出口を通じて前記蒸気排出通路内に挿入される蒸気検出手段と、を備え、前記蓋部が前記内容器に対して閉塞状態の場合に、前記結露排出口と前記蒸気検出手段とを正面視で前記複数の嵌着部の外側端部より内側に相互に重複させて配置し、前記結露排出口及び前記蒸気検出手段と前記複数の嵌着部とを正面視で重複させずに前記ヒンジ軸の軸方向位置をずらして配置するものである。
【発明の効果】
【００１１】
本発明の効果として、以下に示すような効果を奏する。
【００１２】
本発明に係る電気ポットにおいては、蓋部の結露排出口から排出された結露がロック部材の嵌着部上に垂れ落ちず、且つ、例えば蒸気センサが配置された場合であっても結露排出口がロック部材に近接した位置に配置され、ロック部材近傍の配置スペースをコンパクトにして、電気ポットの小型化を図ることできる。
【図面の簡単な説明】
【００１３】
【図１】本発明の一実施形態に係る電気ポットの全体的な構成を示した斜視図。
【図２】同じく、蓋部の一部側面断面図。
【図３】同じく、図１における一部拡大図。
【図４】同じく、ヒンジ部のヒンジロックの構成を示した正面図。
【図５】同じく、肩部材に対するヒンジ部及び蒸気センサの配置構成を示した斜視図。
【図６】本発明の第二実施形態に係る電気ポットの一部拡大図。
【図７】本発明の第三実施形態に係る電気ポットの肩部材に対するヒンジ部及び蒸気センサの配置構成を示した斜視図。
【発明を実施するための形態】
【００１４】
次に、発明の実施の形態を説明する。
【００１５】
まず、本発明の一実施形態に係る電気ポット１の全体的な構成について説明する。
なお、以下の説明では、各図面に示す矢印に基づいて、前後方向、左右方向、及び上下方向を規定する。
【００１６】
図１に示す、電気ポット１は、主として、本体ケース１０と、蓋部２０と、内容器３０と、により構成される。
【００１７】
本体ケース１０は、電気ポット１の外郭を為す部材である。本体ケース１０は、主として、外部材１１と、肩部材１２と、により構成される。
【００１８】
本体ケース１０の外部材１１は、軸心方向を上下方向とした有底筒状に形成される。外部材１１は、電気ポット１の外周面及び底面を形成する。外部材１１の前部は、その板面を前後方向へ向けた板状に形成される。
【００１９】
本体ケース１０の肩部材１２は、外部材１１の上端部に配置される。肩部材１２は、上下側が開口された環状に形成される。肩部材１２の前部は、外部材１１の前部よりも前方へ突出される。肩部材１２の前部には、その上側面に操作部１３や表示部１４が配設され、その下側面にお湯が注湯される注湯口１５が配設される。肩部材１２の後部には、後述するヒンジ部１００や蒸気センサ１９０が配設される。また、肩部材１２の後部には、Ｕ字状に形成された取手１６が配設される。
【００２０】
蓋部２０は、本体ケース１０の上側の開口部を開閉する部材である。蓋部２０は、主として、略平板状に形成された上部材２１と、略円筒状に形成された下部材２２と、により構成される。蓋部２０は、肩部材１２の後部に配設されたヒンジ部１００を介して、当該肩部材１２に開閉可能であって、且つ着脱可能に支持される。
【００２１】
蓋部２０の下部材２２の下側面の略中央には、蒸気排出口２４が形成される。また、蓋部２０の上部材２１の上面側の後部には、蒸気口２３が形成される（図２参照）。蒸気排出口２４と蒸気口２３とは、蓋部２０の内部に形成された蒸気排出通路２５を介して連通される（図２参照）。
【００２２】
内容器３０は、お湯を入れるための部材である。内容器３０は、軸心方向を上下方向とした有底筒状に形成される。内容器３０は、本体ケース１０内に固定されている。なお、内容器３０の底面と本体ケース１０の外部材１１の底面との間には空間が設けられ、当該空間内には内容器３０を加熱するヒータや内容器３０の温度を検知する温度センサ等が配設される（不図示）。
【００２３】
このような構成の電気ポット１は、内容器３０にお水を入れて蓋部２０を閉塞した後に、前記ヒータによってお水を沸騰可能に構成される。また、沸騰したお湯は、前記温度センサや蒸気センサ１９０の検知結果に基づいて所定の温度にて保温可能であって、操作部１３の操作によって注湯口１５から注湯可能に構成される。
【００２４】
次に、図２を用いて、蓋部２０の内部に形成された蒸気排出通路２５の構成について、さらに詳細に説明する。
【００２５】
図２に示す、蒸気排出通路２５は、まず、蓋部２０の下部材２２の下側面の略中央に形成された蒸気排出口２４から蓋部２０内の上斜め後方に配置された第一空間Ｒ１に延出される。第一空間Ｒ１には、止水弁２７が配設される。止水弁２７は、電気ポット１が転倒した場合に、内容器３０内のお湯が蒸気排出通路２５を介して当該電気ポット１から排出されることを防止する部材である。
【００２６】
蒸気排出通路２５は、次に、第一空間Ｒ１から上斜め後方に配置された第二空間Ｒ２に延出される。第二空間Ｒ２は、蓋部２０内の最後部に配置される。第二空間Ｒ２には、結露排出口２６が形成される。なお、結露排出口２６の構成についての詳細な説明は後述する。
【００２７】
蒸気排出通路２５は、次に、第二空間Ｒ２から上斜め前方に配置された蒸気口２３に延出される。
【００２８】
このように、内容器３０内のお湯から発生する蒸気は、蒸気排出口２４から蒸気排出通路２５内に入り、第一空間Ｒ１、第二空間Ｒ２、と順番に移動した後、蒸気口２３から電気ポット１の外部へ排出される。なお、蒸気排出通路２５は、側面視で第二空間Ｒ２の結露排出口２６を頂点として前方へ向けて開放された略「く」の字状に形成される。
【００２９】
次に、図２及び図３を用いて、蒸気排出通路２５の第二空間Ｒ２に形成された結露排出口２６の構成について、さらに詳細に説明する。
【００３０】
結露排出口２６は、蓋部２０を開けた時に、蒸気排出通路２５内で発生した結露を蓋部２０の外部（内容器３０内）へ排出するための排出口である。結露排出口２６は、蓋部２０の後端面を前後方向に貫通して形成される。結露排出口２６は、正面視で略矩形状であって後下方を臨んで形成される。すなわち、結露排出口２６は、側面視で前低後高に傾斜して形成される。蒸気排出通路２５内の第二空間Ｒ２と蓋部２０の外部とは、結露排出口２６を通じて連通される。結露排出口２６の周縁部には、シール部材２８が配設される。
【００３１】
図２に示すように、蓋部２０が本体ケース１０の上側の開口部を閉塞している状態において、結露排出口２６は、本体ケース１０の肩部材１２（より詳細には、後述する中央傾斜部１８０）によって外側から閉塞される。なお、結露排出口２６の周縁部に配設されたシール部材２８を介して、当該結露排出口２６は、本体ケース１０の肩部材１２によって略隙間無く閉塞される。このように、蒸気排出通路２５内の蒸気は、蓋部２０が本体ケース１０の上側の開口部を閉塞している状態において、結露排出口２６を通じて蓋部２０の外部へ排出されないように構成される。
【００３２】
また、図２に示すように、蓋部２０が本体ケース１０の上側の開口部を閉塞している状態において、結露排出口２６には、本体ケース１０の肩部材１２から突出された蒸気センサ１９０（より詳細には、検出部１９１）が挿入される。すなわち、蒸気センサ１９０は、本体ケース１０の肩部材１２において、結露排出口２６を閉塞している箇所から前方へ向けて突出されている。これによって、蓋部２０が本体ケース１０の上側の開口部を閉塞している状態において、蒸気センサ１９０は、蒸気排出通路２５内の第二空間Ｒ２内に配置される。このように、蓋部２０が本体ケース１０の上側の開口部を閉塞している状態において、蒸気センサ１９０によって、蒸気排出通路２５内の蒸気の温度が検出されるように構成される。なお、蒸気センサ１９０の構成についての詳細な説明は後述する。
【００３３】
このような構成によって、蒸気排出通路２５内に発生した結露の一部は、蓋部２０が本体ケース１０の上側の開口部を閉塞している状態において、当該蒸気排出通路２５内を自重によって下方へと流れて蒸気排出口２４から内容器３０内に排出される。また、蒸気排出通路２５内に発生した結露の残り（蒸気排出口２４から内容器３０内に排出されない結露）は、当該蒸気排出通路２５内に留まることとなる。
【００３４】
また、蒸気排出通路２５内に留まった結露は、蓋部２０が本体ケース１０の上側の開口部を開放している状態において、結露排出口２６から内容器３０内に排出される。より詳細には、図３に示すように、蓋部２０が本体ケース１０の上側の開口部を開放している状態において、結露排出口２６は、蓋部２０の蒸気排出通路２５の最下端に配置される。また、上述の如く、蒸気排出通路２５は、側面視で第二空間Ｒ２の結露排出口２６を頂点として前方へ向けて開放された略「く」の字状に形成される。したがって、蒸気排出通路２５内に留まった結露は、蓋部２０が本体ケース１０の上側の開口部を開放している状態において、当該蒸気排出通路２５内を自重によって下方へと流れて結露排出口２６から垂れ落ちて、本体ケース１０の肩部材１２の内斜面に形成された後述する中央傾斜部１８０にガイドされて、内容器３０内に排出される。
【００３５】
なお、蒸気排出通路２５は、本発明に係る「蒸気排出通路」の一実施形態であり、上記の如き構成に限定するものではない。例えば、蓋部２０の上部材２１の上面側に蒸気口２３を設けない、いわゆる「蒸気レス」タイプの「蒸気排出通路」であってもよい。
【００３６】
次に、蒸気センサ１９０の構成について、詳細に説明する。
なお、蒸気センサ１９０は、本体ケース１０の肩部材１２において、ヒンジ部１００と共に配置される。そこで、以下の説明では、蒸気センサ１９０及びヒンジ部１００の配置構成について詳細に説明する。
【００３７】
まず、図２から図５を用いて、ヒンジ部１００の構成について詳細に説明する。
【００３８】
ヒンジ部１００は、ヒンジロック１１０と、ロックカバー１５０と、により構成される。
【００３９】
図４に示す、ヒンジロック１１０は、本体ケース１０の肩部材１２後部の上端部にて、後述するロックカバー１５０の内部に配置される。ヒンジロック１１０は、ロック本体部１２０と、ロック部１３０と、バネ１４０と、により構成される。
【００４０】
ロック本体部１２０は、正面視で上下方向に細長い略矩形状であって、前後方向に貫通して形成された枠体である。ロック本体部１２０の下縁部には、突出部１２１が上方へ向けて突出される。
【００４１】
ロック部１３０は、正面視で略Ｙ字状に形成された部材である。より詳細には、ロック部１３０は、中央に配置される中央部１３１と、当該中央部１３１の左右に配置される爪部１３２・１３２と、により構成される。
【００４２】
ロック部１３０の中央部１３１は、正面視で上下方向に細長い略矩形状に形成される。また、中央部１３１は、後方へ向けて凹んだ凹み部１３３を有する略箱状に形成される。中央部１３１は、ロック本体部１２０の内側に、上下方向に摺動自在に嵌め込まれる。図５に示すように、中央部１３１の後側面には、略板状の把持部１３４が後方へ向けて突設される。把持部１３４は、肩部材１２の後側面に形成された開口部を通じて当該肩部材１２の外部に露出される。
【００４３】
ロック部１３０の爪部１３２・１３２は、中央部１３１の上下中途部から左右斜め上方へ向けて延出された後、上方へ向けて延出されて形成される。爪部１３２・１３２の上端部の高さ位置は、中央部１３１の上端部の高さ位置よりも高く形成される。なお、爪部１３２・１３２の上端部は、後述するロックカバー１５０から上方へ向けて突出するように形成される。
【００４４】
バネ１４０は、長手方向を上下方向として配置される。バネ１４０は、下端部がロック本体部１２０の突出部１２１に接続され、上端部がロック部１３０の中央部１３１の下端部に接続される。バネ１４０は、ロック部１３０を上方へ向けて付勢している。
【００４５】
このような、ヒンジロック１１０の構成において、図２及び図４に示すような、通常時（中央部１３１の把持部１３４に下方への押圧力が付与されていない場合）には、ロック部１３０がバネ１４０の付勢力によって、ロック本体部１２０に対して最上部に位置している。
【００４６】
図２及び図３に示す、ロックカバー１５０は、本体ケース１０の肩部材１２の上端部に配置される。ロックカバー１５０は、その内部にヒンジロック１１０を収納する部材である。ロックカバー１５０は、図２及び図３に示すように、ヒンジ軸支部１６０と、爪部収容部１７０・１７０と、中央傾斜部１８０と、により構成される。
【００４７】
ヒンジ軸支部１６０は、蓋部２０の後端部に横架されたヒンジ軸１８を回動自在に支持する部材である。ヒンジ軸支部１６０は、ロックカバー１５０における最上部に配置される。ヒンジ軸支部１６０は、左右方向に細長い略矩形状であて、前側が開口された略箱状に形成される。ヒンジ軸支部１６０の左右側面には後方へ向けて切り欠いた支部切り欠き部１６１がそれぞれ形成される。これによって、蓋部２０を本体ケース１０に取り付ける場合に、蓋部２０のヒンジ軸１８が、支部切り欠き部１６１に前方から緩挿される。
【００４８】
爪部収容部１７０・１７０は、ヒンジロック１１０の爪部１３２・１３２を内部に収容する部材である。爪部収容部１７０・１７０は、ヒンジ軸支部１６０の左右下部に配置される。爪部収容部１７０・１７０は、肩部材１２の上端部から上方へ向けて突出された略箱状に形成される。爪部収容部１７０・１７０の上側面１７１には、長手方向を左右方向とした収容部切り欠き部１７４・１７４が、上側面１７１を上下方向に貫通して形成される。収容部切り欠き部１７４・１７４からは、ヒンジロック１１０の爪部１３２・１３２の上端部が、上方へ向けて突出される。爪部収容部１７０・１７０の前側面１７５は、板面を概ね前方へ向けた略垂直面に形成される。なお、ヒンジロック１１０の爪部１３２・１３２は、爪部収容部１７０・１７０の内部を上下方向に摺動可能に形成される。換言すれば、爪部収容部１７０・１７０の前側面１７５は、少なくともヒンジロック１１０の爪部１３２・１３２の上下方向への摺動範囲においては、爪部１３２・１３２の前後方向位置よりも前方に配置される。
【００４９】
中央傾斜部１８０は、ヒンジロック１１０の中央部１３１を内部に収容する部材である。中央傾斜部１８０は、ヒンジ軸支部１６０の下部であって、爪部収容部１７０・１７０の間に配置される。中央傾斜部１８０は、その板面を概ね前上方へ向けた平面に形成される。中央傾斜部１８０は、蓋部２０の結露排出口２６に対向して形成される。また、中央傾斜部１８０の左右幅は、結露排出口２６の左右幅よりも大きく形成される。また、中央傾斜部１８０の上下幅は、結露排出口２６の上下幅よりも大きく形成される。
【００５０】
また、中央傾斜部１８０の下端部の前後方向位置は、爪部収容部１７０・１７０の前側面１７５の下端部の前後方向位置と、略同一となるように形成される。一方、中央傾斜部１８０の上端部の前後方向位置は、爪部収容部１７０・１７０の前側面１７５の上端部の前後方向位置よりも後方となるように形成される。なお、中央傾斜部１８０の上側部の前後方向位置は、ヒンジロック１１０の爪部１３２・１３２の上端部の前後方向位置よりも後方となるように形成される。
【００５１】
ここで、ヒンジロック１１０は、上述の如く、正面視で略Ｙ字状に形成される部材であり、当該ヒンジロック１１０の中央部１３１の高さ位置は爪部１３２・１３２の高さ位置よりも低く形成される。したがって、ヒンジロック１１０の中央部１３１を内部に収容する中央傾斜部１８０は、ヒンジロック１１０の爪部１３２・１３２を内部に収容する爪部収容部１７０・１７０よりも高さ位置を低くすることができる
【００５２】
このようなヒンジ部１００の構成において、蓋部２０のヒンジ軸１８が、ヒンジ軸支部１６０に嵌挿された状態で、ヒンジロック１１０の爪部１３２・１３２の上端部が、当該ヒンジ軸支部１６０の前側の開口部を閉塞している。すなわち、ヒンジ部１００は、蓋部２０を回動自在に支持（嵌着）している。
【００５３】
また、ロック部１３０の把持部１３４を下方へ向けて押圧すると、当該中央部１３１がバネ１４０の付勢力に抗って、ロック本体部１２０に対して下方へ摺動する。そして、中央部１３１と共に爪部１３２・１３２が、ロック本体部１２０に対して下方へ摺動する。その結果、爪部１３２・１３２とヒンジ軸支部１６０とによるヒンジ軸１８の嵌着状態が解除される。つまり、ヒンジ部１００は、蓋部２０を着脱可能に支持（嵌着）している。
【００５４】
次に、図２、図３、及び図５を用いて、蒸気センサ１９０の構成について詳細に説明する。
【００５５】
蒸気センサ１９０は、検出部１９１によって蒸気の温度を検出するものである。蒸気センサ１９０には、検出部１９１にて検出した検出結果を制御部（不図示）へ送信するための配線１９３が接続される。蒸気センサ１９０は、ヒンジ部１００の中央傾斜部１８０に配置される。中央傾斜部１８０の略中央部には、軸心方向を前後方向とした略円筒状のセンサ取付ボス１８１が形成される。蒸気センサ１９０は、後方からセンサ取付ボス１８１に挿入される。そして、蒸気センサ１９０は、複数の取り付け具１９２を介して、中央傾斜部１８０に後方から固定される。かかる場合、蒸気センサ１９０の検出部１９１は、センサ取付ボス１８１を通じて中央傾斜部１８０から前方へ向けて突出される。
【００５６】
なお、図２に示すように、センサ取付ボス１８１及び蒸気センサ１９０の後端部は、側面視でロック部１３０の中央部１３１の前側の開口部を通じて当該中央部１３１の凹み部１３３の内側に配置される。ここで、中央部１３１は、上下方向に往復移動可能に構成される部材であるが、センサ取付ボス１８１及び蒸気センサ１９０の高さ位置は、中央部１３１が最下部に移動した場合の凹み部１３３の上縁部の高さ位置よりも低く形成される。また、センサ取付ボス１８１及び蒸気センサ１９０の高さ位置は、中央部１３１が最上部に移動した場合の凹み部１３３の下縁部の高さ位置よりも高く形成される。したがって、ロック部１３０の中央部１３１は、センサ取付ボス１８１及び蒸気センサ１９０と干渉することなく、上下方向に往復移動することができる。
【００５７】
なお、蒸気センサ１９０は、本発明に係る「蒸気検出手段」の一実施形態であり、上記の如き構成に限定するものではない。
【００５８】
次に、図２、図３、及び図５を用いて、結露排出口２６と蒸気センサ１９０とヒンジ部１００との配置構成について、さらに詳細に説明する。
【００５９】
まず、結露排出口２６とヒンジ部１００との配置構成については、蓋部２０が内容器３０に対して閉塞状態の場合に、結露排出口２６が正面視でヒンジ部１００の外径の内側に配置され、且つ結露排出口２６とロック部１３０の爪部１３２・１３２とが正面視で重複されずに横列に配置される。
【００６０】
より詳細には、結露排出口２６は、正面視で爪部収容部１７０・１７０の上端部と下端部との間に配置される。また、結露排出口２６は、正面視で、左側の爪部収容部１７０の左側面１７２と右側の爪部収容部１７０の右側面１７３との間に配置される。つまり、結露排出口２６は、正面視でヒンジ部１００の外径の内側に配置される。また、結露排出口２６は、左側の爪部収容部１７０の右側面１７３と右側の爪部収容部１７０の左側面１７２との間（正面視でロック部１３０の爪部１３２・１３２と重複しない位置）に配置される。そして、結露排出口２６は、正面視で、爪部収容部１７０・１７０の内部に収容された爪部１３２・１３２と、横列に配置される。
【００６１】
次に、結露排出口２６と蒸気センサ１９０とヒンジ部１００との配置構成については、蓋部２０が内容器３０に対して閉塞状態の場合に、結露排出口２６と蒸気センサ１９０とが正面視でヒンジ部１００の外径の内側にて相互に重複して配置され、且つ結露排出口２６及び蒸気センサ１９０とロック部１３０の爪部１３２・１３２とが正面視で重複されずに横列に配置される。
【００６２】
より詳細には、結露排出口２６は、蒸気センサ１９０に対向して配置されている。したがって、結露排出口２６と蒸気センサ１９０とは、正面視で相互に重複して配置される。また、結露排出口２６と蒸気センサ１９０とは、正面視で爪部収容部１７０・１７０の上端部と下端部との間に配置される。また、結露排出口２６と蒸気センサ１９０とは、正面視で、左側の爪部収容部１７０の左側面１７２と右側の爪部収容部１７０の右側面１７３との間に配置される。つまり、結露排出口２６と蒸気センサ１９０とは、正面視でヒンジ部１００の外径の内側に配置される。また、結露排出口２６と蒸気センサ１９０とは、左側の爪部収容部１７０の右側面１７３と右側の爪部収容部１７０の左側面１７２との間（正面視でロック部１３０の爪部１３２・１３２と重複しない位置）に配置される。そして、結露排出口２６と蒸気センサ１９０とは、正面視で、爪部収容部１７０・１７０の内部に収容された爪部１３２・１３２と、横列に配置される。
【００６３】
さらに、蓋部２０が内容器３０に対して閉塞状態の場合に、結露排出口２６と蒸気センサ１９０とが平面視でヒンジ部１００の外径の内側にて配置され、且つ結露排出口２６及び蒸気センサ１９０とロック部１３０の爪部１３２・１３２とが平面視で重複されずに横列に配置される。
【００６４】
より詳細には、結露排出口２６は、蒸気センサ１９０に対向して配置されている。したがって、結露排出口２６と蒸気センサ１９０とは、正面視で相互に重複して配置される（平面視で相互に重複して配置される）。また、結露排出口２６と蒸気センサ１９０とは、平面視で爪部収容部１７０・１７０の前端部と後端部との間に配置される。また、結露排出口２６と蒸気センサ１９０とは、平面視で、左側の爪部収容部１７０の左側面１７２と右側の爪部収容部１７０の右側面１７３との間に配置される。つまり、結露排出口２６と蒸気センサ１９０とは、平面視でヒンジ部１００の外径の内側に配置される。また、結露排出口２６と蒸気センサ１９０とは、左側の爪部収容部１７０の右側面１７３と右側の爪部収容部１７０の左側面１７２との間（平面視でロック部１３０の爪部１３２・１３２と重複しない位置）に配置される。そして、結露排出口２６と蒸気センサ１９０とは、平面視で、爪部収容部１７０・１７０の内部に収容された爪部１３２・１３２と、横列に配置される。
【００６５】
このような構成によって、本体ケース１０の肩部材１２のヒンジ部１００近傍において、ロック部１３０の爪部１３２・１３２と、蒸気センサ１９０及び結露排出口２６とを近接さえて配置することができる。したがって、本体ケース１０の肩部材１２のヒンジ部１００近傍における配置スペースを前後方向及び上下方向にコンパクトにすることができる。その結果、電気ポット１の小型化を図ることができる。
【００６６】
また、このような構成によって、蓋部２０が本体ケース１０の上側の開口部を開放している状態において、蓋部２０の結露排出口２６の下方にはロック部１３０の爪部１３２・１３２が配置されない。したがって、蒸気排出通路２５内に留まった結露が、結露排出口２６から垂れ落ちる場合に、その垂れ落ちる結露が、ロック部１３０の爪部１３２・１３２の上に垂れ落ちることを防止することができる。
【００６７】
以上のように、
本発明の一実施形態に係る電気ポット１は、
本体ケース１０内に配置されて液体を収容する内容器３０と、
前記本体ケース１０に配設されたヒンジ部１００によって前記内容器３０に対して開閉自在に支持される蓋部２０と、を備えた電気ポットであって、
前記蓋部２０は、貫穿された蒸気排出通路２５の中途部と前記蓋部２０の外部とを連通して、前記蒸気排出通路２５内の結露を排出するための結露排出口２６を備え、
前記ヒンジ部１００は、前記蓋部２０を着脱可能に嵌着するロック部１３０の爪部１３２・１３２を備え、
前記蓋部２０が前記内容器３０に対して閉塞状態の場合に、前記結露排出口２６を正面視で前記ヒンジ部１００の外径の内側に配置し、且つ前記結露排出口２６と前記ロック部１３０の爪部１３２・１３２とを正面視で重複させずに横列に配置するものである。
【００６８】
また、本発明の一実施形態に係る電気ポット１は、
本体ケース１０内に配置されて液体を収容する内容器３０と、
前記本体ケース１０に配設されたヒンジ部１００によって前記内容器３０に対して開閉自在に支持される蓋部２０と、を備えた電気ポットであって、
前記蓋部２０は、貫穿された蒸気排出通路２５の中途部と前記蓋部２０の外部とを連通して、前記蒸気排出通路２５内の結露を排出するための結露排出口２６を備え、
前記ヒンジ部１００は、前記蓋部２０を着脱可能に嵌着するロック部１３０の爪部１３２・１３２を備え、
前記本体ケース１０は、前記結露排出口２６を通じて前記蒸気排出通路２５内に挿入される蒸気センサ１９０（蒸気検出手段）と、を備え、
前記蓋部２０が前記内容器３０に対して閉塞状態の場合に、前記結露排出口２６と前記蒸気センサ１９０（蒸気検出手段）とを正面視で前記ヒンジ部１００の外径の内側にて相互に重複させて配置し、前記結露排出口２６及び前記蒸気センサ１９０（蒸気検出手段）と前記ロック部１３０の爪部１３２・１３２とを正面視で重複させずに横列に配置するものである。
【００６９】
このような構成により、蓋部２０の結露排出口２６から排出された結露がロック部１３０の爪部１３２・１３２上に垂れ落ちず、且つ、蒸気センサ１９０が配置されているが結露排出口２６がロック部１３０の爪部１３２・１３２に近接した位置に配置され、ロック部１３０の爪部１３２・１３２近傍の配置スペースをコンパクトにして、電気ポット１の小型化を図ることできる。
【００７０】
なお、第二実施形態として、図６に示すように、正面視でロック部１３０の爪部１３２を収容している爪部収容部１７０を左側に配置し、傾斜部１８０ａを右側に配置する構成とすることができる。かかる実施形態において、ロック部１３０の構成は、第一実施形態として説明した正面視で略Ｙ字状に形成されたロック部１３０の左右の爪部１３２・１３２のうち、右側の爪部１３２が設けられていないものである。なお、正面視でロック部１３０の爪部１３２を収容している爪部収容部１７０を右側に配置し、傾斜部１８０ａを左側に配置する構成であってもよい。
【００７１】
また、第三実施形態として、図７に示すように、結露排出口２６の配置は第一実施形態に係る配置のままで、蒸気センサ１９０を本体ケース１０の肩部材１２の前部に配置する構成とすることができる。かかる実施形態においては、蒸気排出通路２５は、まず蓋部２０の下部材２２の蒸気排出口２４から蓋部２０内の前方へと延出され、その後に蓋部２０内の後方へと延出される。このような構成によれば、蒸気センサ１９０とヒンジ部１００との配置構成にかかわらず、本体ケース１０の肩部材１２のヒンジ部１００近傍（ロック部１３０近傍）の配置スペースを前後方向及び上下方向にコンパクトにすることができる。
【符号の説明】
【００７２】
１      電気ポット
１０    本体ケース
２０    蓋部
２５    蒸気排出通路
２６    結露排出口
３０    内容器
１００  ヒンジ部
１３０  ロック部
１３２  爪部
１９０  蒸気センサ
【図１】
0005780001.tif 000002
【図２】
0005780001.tif 000003
【図３】
0005780001.tif 000004
【図４】
0005780001.tif 000005
【図５】
0005780001.tif 000006
【図６】
0005780001.tif 000007
【図７】
0005780001.tif 000008